(57)【要約】【課題】本発明は水底のゴミを清掃する水面作業台を開示した。【解決手段】台を含み、前記台の下側面には装置に浮力を提供する二つの浮きブロックが左右に一つずつ対称に固定的に設置され、前記台の中には掘り装置が設置され、前記台の中には掘りチャンバが設置され、前記掘り装置は前記台の頂面に固定的に装着された回転箱を含み、前記回転箱の中には回転チャンバが設置され、前記回転チャンバの中には前記台の頂面と回転できるように連結された伝動主軸が設置され、前記伝動主軸が下方へ伸びて前記台の上端面を貫通して前記掘りチャンバの中に入っており、且つ前記掘りチャンバの頂壁と回転できるように連結され、前記伝動主軸のうち前記回転チャンバの中に位置しているところには第一ベベルギヤが固定的に設置される。【選択図】図１
2020197108.tif 000002
【特許請求の範囲】
【請求項１】
水底のゴミを清掃する水面作業台の正面視で、台を含み、前記台の下側面には装置に浮力を提供する二つの浮きブロックが左右に一つずつ対称に固定的に設置され、前記台の中には掘り装置が設置され、前記台の中には掘りチャンバが設置され、前記掘り装置は前記台の頂面に固定的に装着された回転箱を含み、前記回転箱の中には回転チャンバが設置され、前記回転チャンバの中には前記台の頂面と回転できるように連結された伝動主軸が設置され、前記伝動主軸が下方へ伸びて前記台の上端面を貫通して前記掘りチャンバの中に入っており、且つ前記掘りチャンバの頂壁と回転できるように連結され、前記伝動主軸のうち前記回転チャンバの中に位置しているところには第一ベベルギヤが固定的に設置され、前記伝動主軸のうち前記掘りチャンバの中に位置しているところには第二ベベルギヤが固定的に設置され、前記伝動主軸のうち前記掘りチャンバの中に位置しているところには第三ベベルギヤが固定的に設置され、前記回転箱の前側面には掘り軸が回転できるように連結され、前記掘り軸が後方へ伸びて前記回転箱の前側面を貫通して前記回転チャンバに入っており、且つ前記回転チャンバの前側壁と回転できるように連結され、前記掘り軸のうち前記回転チャンバの中に位置しているところには前記第一ベベルギヤと噛み合っている第四ベベルギヤが固定的に設置され、前記掘り軸には掘り回転輪が固定的に設置され、前記掘り軸には掘り支持板が回転できるように連結され、前記掘り支持板には六つの支持軸が回転できるように連結され、各前記支持軸には掘り伝動輪が固定的に設置され、前記掘り回転輪と前記掘り伝動輪との間には掘り伝動ベルトが連結され、前記掘り伝動ベルトには掘削バケットが固定的に設置され、前記掘り支持板の中には縦チャンバが設置され、前記台の中には横チャンバが設置され、前記横チャンバと前記縦チャンバの中には調節ロッドがスライドできるように連結され、前記調節ロッドには角度制御ロッドが固定的に設置され、前記掘り支持板の中には固定孔が設置され、
前記固定孔と前記掘りチャンバとの間には固定機構が設置され、前記固定機構が前記掘り装置を固定し、前記掘りチャンバの頂側壁には輸送動力チャンバが設置され、前記輸送動力チャンバの前側には輸送回転チャンバが設置され、前記輸送回転チャンバの中には軟泥を伝送する伝送装置が設置され、前記台の中にはゴミを貯蔵する貯蔵チャンバが設置され、前記掘りチャンバの左側には動力チャンバが設置され、前記動力チャンバの中には前記台の移動及びゴミを清掃する装置に動力を提供する動力装置が設置され、前記台の左側面には前記伝送装置が運んできた軟泥とゴミを分離させる分離装置が設置されたことを特徴とする水底のゴミを清掃する水面作業台。
【請求項２】
前記動力装置は前記動力チャンバの右側壁に固定的に装着されたモータを含み、前記動力チャンバの左側には旋転チャンバが設置され、前記モータの中にはオール軸が連結され、前記オール軸が左方へ伸びて前記動力チャンバの左側壁を貫通して前記旋転チャンバの中に入っており、且つ前記動力チャンバの左側壁及び前記旋転チャンバの右側壁と回転できるように連結され、前記オール軸のうち前記動力チャンバの中に位置しているところには第六ベベルギヤが固定的に設置され、前記旋転チャンバの中にはオールが固定的に設置され、前記動力チャンバの頂側壁には縦方向動力軸が回転できるように連結され、前記縦方向動力軸の底側には前記第六ベベルギヤと噛み合っている第七ベベルギヤが固定的に設置され、前記縦方向動力軸にはまたウォームホイールが固定的に設置され、前記動力チャンバの左右側壁には伝動副軸が回転できるように連結され、前記伝動副軸が右方へ伸びて前記動力チャンバの右側壁を貫通して前記掘りチャンバの中に入っており、且つ前記掘りチャンバの左側壁と回転できるように連結され、前記伝動副軸には前記ウォームホイールと噛み合っているウォームが固定的に設置され、前記伝動副軸の右側には前記第二ベベルギヤと噛み合っている第八ベベルギヤが固定的に設置されたことを特徴とする請求項１に記載の水底のゴミを清掃する水面作業台。
【請求項３】
前記分離装置は前記台の左側面に固定的に装着された連結ロッドを含み、前記連結ロッドのうち頂側面と右側面以外の面にはいずれも濾過板が設置され、前記連結ロッドの右側面には縦軸が回転できるように連結され、前記縦軸にはスイッチが固定的に設置され、前記連結ロッドの中にはフィルターがスライドできるように設置され、前記フィルターのうち頂側面以外の面にはいずれも第二濾過網が設置され、前記フィルターには取っ手が固定的に設置され、前記フィルターの中には分離チャンバが設置され、前記旋転チャンバの左側壁には濾過網が固定的に設置される請求項１に記載の水底のゴミを清掃する水面作業台。
【請求項４】
前記伝送装置は前記掘りチャンバの後側壁に回転できるように装着された横方向伝送軸を含み、前記横方向伝送軸の前側には前記第三ベベルギヤと噛み合っている第五ベベルギヤが固定的に設置され、前記横方向伝送軸には第一同期輪が固定的に設置され、前記輸送動力チャンバの前側壁には輸送軸が回転できるように連結され、前記輸送軸のうち前記輸送動力チャンバの中に位置しているところには第二同期輪が固定的に設置され、前記第二同期輪と前記第一同期輪との間にはベルトが連結され、前記輸送軸が前方へ伸びて前記輸送動力チャンバの前側壁を貫通して前記輸送回転チャンバの中に入っており、且つ前記輸送回転チャンバの右側壁と回転できるように連結され、前記輸送軸のうち前記輸送回転チャンバの中に位置しているところには輸送回転輪が固定的に設置され、前記輸送回転チャンバの左右側壁には四つの輸送固定軸が固定的に連結され、各前記輸送固定軸には輸送伝動輪が回転できるように連結され、前記輸送固定軸と前記輸送軸との間には輸送支持板が回転できるように連結され、前記輸送回転輪と前記輸送伝動輪との間には輸送伝送ベルトが連結され、前記台の頂側面には前記輸送伝送ベルトと協働するかき板が固定的に設置されたことを特徴とする請求項１に記載の水底のゴミを清掃する水面作業台。
【請求項５】
前記固定機構は前記掘りチャンバの左右側壁に設置された八つの固定チャンバを含み、前記固定チャンバが前記固定孔に対応しており、各前記固定チャンバの中には固定ロッドがスライドできるように連結され、各前記固定ロッドには固定制御ロッドが固定的に設置されたことを特徴とする請求項１に記載の水底のゴミを清掃する水面作業台。
【請求項６】
前記掘削バケットは一定の角度を持つバケットであり、掘り伝動ベルトの回転のもとで軟泥を掘り出すことができることを特徴とする請求項１に記載の水底のゴミを清掃する水面作業台。
【請求項７】
前記オールが前記台を連動させて前進させると同時に、連動した水流により砂とゴミとを分離し、これにより移動すると同時に、ゴミの収集を行い、作動する時のエネルギーの消費を減少することを特徴とする請求項３に記載の水底のゴミを清掃する水面作業台。
【請求項８】
前記濾過網と前記第二濾過網とは孔の直径の大きさが異なり、砂が前記濾過網を通ることができないが前記第二濾過網を通ることができ、砂が前記旋転チャンバの中に入ることを防止することを特徴とする請求項３に記載の水底のゴミを清掃する水面作業台。
【発明の詳細な説明】
【技術分野】
【０００１】
本発明はゴミ処理分野を取り上げて、具体的には水底のゴミを清掃する水面作業台である。
【背景技術】
【０００２】
環境がだんだん改善されるにつれて、人々は海辺や浜辺などのところへ遊びや納涼に行くことが好きになり、汀にいる人はいつも裸足で遊び、しかし、水底の状況はいつも予測されないのであり、誰も砂や軟泥の下に何があるか知らないので、足を傷つける可能性があり、同時にこれらの水域が衛生的ではなく、傷を付けると感染しやすい。
しかし、現有の清掃装置は路面のゴミだけを清掃でき、または水面のゴミだけを清掃でき、水底のゴミを清掃しにくく、人で清掃すると効率が低いだけではなく、きれいに清掃できなく、水底の表面のゴミだけを清掃でき、同時に、人で清掃すると多すぎるゴミを背負うことができなく、これらのゴミが長期にわたって水に浸っているので、重量が増加し、清掃過程において作業員の体力がかなり使われ、そのため、水底のゴミを清掃できる機器が必要となり、これにより人が安心して汀で遊ぶことができる。
【先行技術文献】
【特許文献】
【０００３】
【特許文献１】中国特許出願公開第１０８０８２４０３号明細書
【発明の概要】
【発明が解決しようとする課題】
【０００４】
本発明は水底のゴミを清掃する水面作業台を提供し、上記背景技術において提出した問題を解決することを目的とする。
【課題を解決するための手段】
【０００５】
上記の問題を解決するために、本発明は水底のゴミを清掃する水面作業台を設計し、台を含み、前記台の下側面には装置に浮力を提供する二つの浮きブロックが左右に一つずつ対称に固定的に設置され、前記台の中には掘り装置が設置され、前記台の中には掘りチャンバが設置され、前記掘り装置は前記台の頂面に固定的に装着された回転箱を含み、前記回転箱の中には回転チャンバが設置され、前記回転チャンバの中には前記台の頂面と回転できるように連結された伝動主軸が設置され、前記伝動主軸が下方へ伸びて前記台の上端面を貫通して前記掘りチャンバの中に入っており、且つ前記掘りチャンバの頂壁と回転できるように連結され、前記伝動主軸のうち前記回転チャンバの中に位置しているところには第一ベベルギヤが固定的に設置され、前記伝動主軸のうち前記掘りチャンバの中に位置しているところには第二ベベルギヤが固定的に設置され、前記伝動主軸のうち前記掘りチャンバの中に位置しているところには第三ベベルギヤが固定的に設置され、前記回転箱の前側面には掘り軸が回転できるように連結され、前記掘り軸が後方へ伸びて前記回転箱の前側面を貫通して前記回転チャンバに入っており、且つ前記回転チャンバの前側壁と回転できるように連結され、前記掘り軸のうち前記回転チャンバの中に位置しているところには前記第一ベベルギヤと噛み合っている第四ベベルギヤが固定的に設置され、前記掘り軸には掘り回転輪が固定的に設置され、前記掘り軸には掘り支持板が回転できるように連結され、前記掘り支持板には六つの支持軸が回転できるように連結され、各前記支持軸には掘り伝動輪が固定的に設置され、前記掘り回転輪と前記掘り伝動輪との間には掘り伝動ベルトが連結され、前記掘り伝動ベルトには掘削バケットが固定的に設置され、前記掘り支持板の中には縦チャンバが設置され、前記台の中には横チャンバが設置され、前記横チャンバと前記縦チャンバの中には調節ロッドがスライドできるように連結され、前記調節ロッドには角度制御ロッドが固定的に設置され、前記掘り支持板の中には固定孔が設置された。
【０００６】
好ましくは、前記固定孔と前記掘りチャンバとの間には固定機構が設置され、前記固定機構が前記掘り装置を固定し、前記掘りチャンバの頂側壁には輸送動力チャンバが設置され、前記輸送動力チャンバの前側には輸送回転チャンバが設置され、前記輸送回転チャンバの中には軟泥を伝送する伝送装置が設置され、前記台の中にはゴミを貯蔵する貯蔵チャンバが設置され、前記掘りチャンバの左側には動力チャンバが設置され、前記動力チャンバの中には前記台の移動及びゴミを清掃する装置に動力を提供する動力装置が設置され、前記台の左側面には前記伝送装置が運んできた軟泥とゴミを分離させる分離装置が設置された。
【０００７】
好ましくは、前記動力装置は前記動力チャンバの右側壁に固定的に装着されたモータを含み、前記動力チャンバの左側には旋転チャンバが設置され、前記モータの中にはオール軸が連結され、前記オール軸が左方へ伸びて前記動力チャンバの左側壁を貫通して前記旋転チャンバの中に入っており、且つ前記動力チャンバの左側壁及び前記旋転チャンバの右側壁と回転できるように連結され、前記オール軸のうち前記動力チャンバの中に位置しているところには第六ベベルギヤが固定的に設置され、前記旋転チャンバの中にはオールが固定的に設置され、前記動力チャンバの頂側壁には縦方向動力軸が回転できるように連結され、前記縦方向動力軸の底側には前記第六ベベルギヤと噛み合っている第七ベベルギヤが固定的に設置され、前記縦方向動力軸にはまたウォームホイールが固定的に設置され、前記動力チャンバの左右側壁には伝動副軸が回転できるように連結され、前記伝動副軸が右方へ伸びて前記動力チャンバの右側壁を貫通して前記掘りチャンバの中に入っており、且つ前記掘りチャンバの左側壁と回転できるように連結され、前記伝動副軸には前記ウォームホイールと噛み合っているウォームが固定的に設置され、前記伝動副軸の右側には前記第二ベベルギヤと噛み合っている第八ベベルギヤが固定的に設置された。
【０００８】
好ましくは、前記分離装置は前記台の左側面に固定的に装着された連結ロッドを含み、前記連結ロッドのうち頂側面と右側面以外の面にはいずれも濾過板が設置され、前記連結ロッドの右側面には縦軸が回転できるように連結され、前記縦軸にはスイッチが固定的に設置され、前記連結ロッドの中にはフィルターがスライドできるように設置され、前記フィルターのうち頂側面以外の面にはいずれも第二濾過網が設置され、前記フィルターには取っ手が固定的に設置され、前記フィルターの中には分離チャンバが設置され、前記旋転チャンバの左側壁には濾過網が固定的に設置された。
【０００９】
好ましくは、前記伝送装置は前記掘りチャンバの後側壁に回転できるように装着された横方向伝送軸を含み、前記横方向伝送軸の前側には前記第三ベベルギヤと噛み合っている第五ベベルギヤが固定的に設置され、前記横方向伝送軸には第一同期輪が固定的に設置され、前記輸送動力チャンバの前側壁には輸送軸が回転できるように連結され、前記輸送軸のうち前記輸送動力チャンバの中に位置しているところには第二同期輪が固定的に設置され、前記第二同期輪と前記第一同期輪との間にはベルトが連結され、前記輸送軸が前方へ伸びて前記輸送動力チャンバの前側壁を貫通して前記輸送回転チャンバの中に入っており、且つ前記輸送回転チャンバの右側壁と回転できるように連結され、前記輸送軸のうち前記輸送回転チャンバの中に位置しているところには輸送回転輪が固定的に設置され、前記輸送回転チャンバの左右側壁には四つの輸送固定軸が固定的に連結され、各前記輸送固定軸には輸送伝動輪が回転できるように連結され、前記輸送固定軸と前記輸送軸との間には輸送支持板が回転できるように連結され、前記輸送回転輪と前記輸送伝動輪との間には輸送伝送ベルトが連結され、前記台の頂側面には前記輸送伝送ベルトと協働するかき板が固定的に設置された。
【００１０】
好ましくは、前記固定機構は前記掘りチャンバの左右側壁に設置された八つの固定チャンバを含み、前記固定チャンバが前記固定孔に対応しており、各前記固定チャンバの中には固定ロッドがスライドできるように連結され、各前記固定ロッドには固定制御ロッドが固定的に設置された。
【００１１】
好ましくは、前記掘削バケットは一定の角度を持つバケットであり、掘り伝動ベルトの回転のもとで軟泥を掘り出すことができる。
【００１２】
好ましくは、前記オールが前記台を連動させて前進させると同時に、連動した水流により砂とゴミとを分離し、これにより移動すると同時に、ゴミの収集を行い、作動する時のエネルギーの消費を減少する。
【００１３】
好ましくは、前記濾過網と前記第二濾過網とは孔の直径の大きさが異なり、砂が前記濾過網を通ることができないが前記第二濾過網を通ることができ、砂が前記旋転チャンバの中に入ることを防止する。
【発明の効果】
【００１４】
本発明の有益効果は：本装置は水上であちこち行けるので、清掃区域が広く、同時に深さを調節できる掘り装置により異なる深さの水底を清掃でき、本装置は掘り装置により水底の砂や軟泥やゴミを一緒に掘り出すことができ、掘り出されたゴミを砂や軟泥と一緒にオールの後端区域に伝送し、オール３９が作動する時に連動させた水流により砂とゴミとを分離し、砂や軟泥が濾過網を通って水流により流され、これによりゴミが残され、同時に移動できるゴミ収集装置によりゴミを絶えず取り出すと同時にゴミを貯蔵チャンバの中に貯蔵し、これにより大量のゴミを収納でき、作業員が水に入らずゴミを清掃でき、また本装置は水上で移動しながら清掃でき、清掃効率を大幅に向上させ、しかも本装置は砂や軟泥の下に隠れているゴミを清掃できる。
【図面の簡単な説明】
【００１５】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の水底のゴミを清掃する水面作業台の全体断面の正面構成模式図
【図２】図２は本発明の図１の上面図
【図３】図３は本発明の図１の中の回転箱の背面断面図
【図４】図４は本発明の図１の中の固定機構の上面断面図
【図５】図５は本発明の図１の中の分離装置の正面断面図
【発明を実施するための形態】
【００１７】
本発明書に開示した全ての特徴、或いは開示した全ての方法、過程中のステップは、互いに排斥する特徴或いはステップ以外に、いかなる方式で組み合わせることができる。
【００１８】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１９】
図１〜５を参照し、本発明の水底のゴミを清掃する水面作業台は、台５６を含み、前記台５６の下側面には装置に浮力を提供する二つの浮きブロック９８が左右に一つずつ対称に固定的に設置され、前記台５６の中には掘り装置１００が設置され、前記台５６の中には掘りチャンバ４６が設置され、前記掘り装置１００は前記台５６の頂面に固定的に装着された回転箱２９を含み、前記回転箱２９の中には回転チャンバ７１が設置され、前記回転チャンバ７１の中には前記台５６の頂面と回転できるように連結された伝動主軸３５が設置され、前記伝動主軸３５が下方へ伸びて前記台５６の上端面を貫通して前記掘りチャンバ４６の中に入っており、且つ前記掘りチャンバ４６の頂壁と回転できるように連結され、前記伝動主軸３５のうち前記回転チャンバ７１の中に位置しているところには第一ベベルギヤ７３が固定的に設置され、前記伝動主軸３５のうち前記掘りチャンバ４６の中に位置しているところには第二ベベルギヤ３６が固定的に設置され、前記伝動主軸３５のうち前記掘りチャンバ４６の中に位置しているところには第三ベベルギヤ６７が固定的に設置され、前記回転箱２９の前側面には掘り軸３１が回転できるように連結され、前記掘り軸３１が後方へ伸びて前記回転箱２９の前側面を貫通して前記回転チャンバ７１に入っており、且つ前記回転チャンバ７１の前側壁と回転できるように連結され、前記掘り軸３１のうち前記回転チャンバ７１の中に位置しているところには前記第一ベベルギヤ７３と噛み合っている第四ベベルギヤ７２が固定的に設置され、前記掘り軸３１には掘り回転輪３２が固定的に設置され、前記掘り軸３１には掘り支持板３３が回転できるように連結され、前記掘り支持板３３には六つの支持軸９９が回転できるように連結され、各前記支持軸９９には掘り伝動輪８７が固定的に設置され、前記掘り回転輪３２と前記掘り伝動輪８７との間には掘り伝動ベルト４８が連結され、前記掘り伝動ベルト４８には掘削バケット３０が固定的に設置され、前記掘り支持板３３の中には縦チャンバ５０が設置され、前記台５６の中には横チャンバ４７が設置され、前記横チャンバ４７と前記縦チャンバ５０の中には調節ロッド４９がスライドできるように連結され、前記調節ロッド４９には角度制御ロッド５５が固定的に設置され、前記掘り支持板３３の中には固定孔３４が設置され、
前記固定孔３４と前記掘りチャンバ４６との間には固定機構１０１が設置され、前記固定機構１０１が前記掘り装置１００を固定し、前記掘りチャンバ４６の頂側壁には輸送動力チャンバ８８が設置され、前記輸送動力チャンバ８８の前側には輸送回転チャンバ８９が設置され、前記輸送回転チャンバ８９の中には軟泥を伝送する伝送装置１０３が設置され、前記台５６の中にはゴミを貯蔵する貯蔵チャンバ９１が設置され、前記掘りチャンバ４６の左側には動力チャンバ４２が設置され、前記動力チャンバ４２の中には前記台５６の移動及びゴミを清掃する装置に動力を提供する動力装置１０４が設置され、前記台５６の左側面には前記伝送装置１０３が運んできた軟泥とゴミを分離させる分離装置１０２が設置される。
【００２０】
前記動力装置１０４は前記動力チャンバ４２の右側壁に固定的に装着されたモータ４５を含み、前記動力チャンバ４２の左側には旋転チャンバ４０が設置され、前記モータ４５の中にはオール軸４１が連結され、前記オール軸４１が左方へ伸びて前記動力チャンバ４２の左側壁を貫通して前記旋転チャンバ４０の中に入っており、且つ前記動力チャンバ４２の左側壁及び前記旋転チャンバ４０の右側壁と回転できるように連結され、前記オール軸４１のうち前記動力チャンバ４２の中に位置しているところには第六ベベルギヤ４３が固定的に設置され、前記旋転チャンバ４０の中にはオール３９が固定的に設置され、前記動力チャンバ４２の頂側壁には縦方向動力軸２６が回転できるように連結され、前記縦方向動力軸２６の底側には前記第六ベベルギヤ４３と噛み合っている第七ベベルギヤ４４が固定的に設置され、前記縦方向動力軸２６にはまたウォームホイール３８が固定的に設置され、前記動力チャンバ４２の左右側壁には伝動副軸２７が回転できるように連結され、前記伝動副軸２７が右方へ伸びて前記動力チャンバ４２の右側壁を貫通して前記掘りチャンバ４６の中に入っており、且つ前記掘りチャンバ４６の左側壁と回転できるように連結され、前記伝動副軸２７には前記ウォームホイール３８と噛み合っているウォーム１８が固定的に設置され、前記伝動副軸２７の右側には前記第二ベベルギヤ３６と噛み合っている第八ベベルギヤ３７が固定的に設置されていることで、前記モータ４５が回転する時、前記オール軸４１と、前記第六ベベルギヤ４３と、前記第七ベベルギヤ４４と、前記縦方向動力軸２６と、前記ウォームホイール３８と、前記伝動副軸２７と、前記第八ベベルギヤ３７と、前記ウォーム１８と、前記オール３９とを連動させて回転させることができ、前記動力装置１０４は前記掘り装置１００と、前記伝送装置１０３と、前記分離装置１０２とに動力を提供し、同時に前記動力装置１０４が前記台５６を連動させて水面で移動させることができる。
【００２１】
前記分離装置１０２は前記台５６の左側面に固定的に装着された連結ロッド７７を含み、前記連結ロッド７７のうち頂側面と右側面以外の面にはいずれも濾過板８３が設置され、前記連結ロッド７７の右側面には縦軸７９が回転できるように連結され、前記縦軸７９にはスイッチ８５が固定的に設置され、前記連結ロッド７７の中にはフィルター８０がスライドできるように設置され、前記フィルター８０のうち頂側面以外の面にはいずれも第二濾過網８４が設置され、前記フィルター８０には取っ手８２が固定的に設置され、前記フィルター８０の中には分離チャンバ５８が設置され、前記旋転チャンバ４０の左側壁には濾過網８６が固定的に設置され、前記伝送装置１０３の中の砂やゴミが前記分離チャンバ５８の中に落ちる時、回転している前記オール３９が水流を連動させて前記濾過網８６を通過させ、砂や軟泥が水流とともに流され、これによりゴミを前記分離チャンバ５８の中に残し、前記スイッチ８５をオンにし、前記取っ手８２により前記フィルター８０を前記連結ロッド７７の中から取り出し、ゴミを前記貯蔵チャンバ９１の中に入れて貯蔵し、本装置のゴミ貯蔵量を増加する。
【００２２】
前記伝送装置１０３は前記掘りチャンバ４６の後側壁に回転できるように装着された横方向伝送軸６９を含み、前記横方向伝送軸６９の前側には前記第三ベベルギヤ６７と噛み合っている第五ベベルギヤ６６が固定的に設置され、前記横方向伝送軸６９には第一同期輪６８が固定的に設置され、前記輸送動力チャンバ８８の前側壁には輸送軸２８が回転できるように連結され、前記輸送軸２８のうち前記輸送動力チャンバ８８の中に位置しているところには第二同期輪６４が固定的に設置され、前記第二同期輪６４と前記第一同期輪６８との間にはベルト６５が連結され、前記輸送軸２８が前方へ伸びて前記輸送動力チャンバ８８の前側壁を貫通して前記輸送回転チャンバ８９の中に入っており、且つ前記輸送回転チャンバ８９の右側壁と回転できるように連結され、前記輸送軸２８のうち前記輸送回転チャンバ８９の中に位置しているところには輸送回転輪１９が固定的に設置され、前記輸送回転チャンバ８９の左右側壁には四つの輸送固定軸２１が固定的に連結され、各前記輸送固定軸２１には輸送伝動輪２３が回転できるように連結され、前記輸送固定軸２１と前記輸送軸２８との間には輸送支持板２４が回転できるように連結され、前記輸送回転輪１９と前記輸送伝動輪２３との間には輸送伝送ベルト２５が連結され、前記台５６の頂側面には前記輸送伝送ベルト２５と協働するかき板２２が固定的に設置されていることで、動力が前記第八ベベルギヤ３７に伝達された時、前記第二ベベルギヤ３６と、前記伝動主軸３５と、前記第三ベベルギヤ６７と、前記第五ベベルギヤ６６と、前記横方向伝送軸６９と、前記第一同期輪６８と、前記ベルト６５と、前記第二同期輪６４と、前記輸送軸２８と、前記輸送回転輪１９と、前記輸送伝動輪２３と、前記輸送伝送ベルト２５とを連動させて回転させることによって、前記掘り装置１００から伝送された軟泥を前記分離装置１０２の中に運んで濾過し、同時に前記かき板２２が残った軟泥を取り除く。
【００２３】
前記固定機構１０１は前記掘りチャンバ４６の左右側壁に設置された八つの固定チャンバ５２を含み、前記固定チャンバ５２が前記固定孔３４に対応しており、各前記固定チャンバ５２の中には固定ロッド５３がスライドできるように連結され、各前記固定ロッド５３には固定制御ロッド５４が固定的に設置され、角度を選んだ後に前記固定制御ロッド５４を押し動かスことで、前記固定ロッド５３を連動させて前記固定孔３４の中に入らせて前記掘り装置１００を固定することによって、前記掘り装置１００の角度を調節し、更に前記掘り装置１００が水に入る深さを調節する。
【００２４】
前記掘削バケット３０は一定の角度を持つバケットであり、掘り伝動ベルト４８の回転のもとで軟泥を掘り出すことができる。
【００２５】
前記オール３９が前記台５６を連動させて前進させると同時に、連動した水流により砂とゴミとを分離し、これにより移動すると同時に、ゴミの収集を行い、作動する時のエネルギーの消費を減少する。
【００２６】
前記濾過網８６と前記第二濾過網８４とは孔の直径の大きさが異なり、砂が前記濾過網８６を通ることができないが前記第二濾過網８４を通ることができ、砂が前記旋転チャンバ４０の中に入ることを防止する。
【００２７】
使用する時、角度制御ロッド５５を引っ張ることにより調節ロッド４９を連動させて横チャンバ４７及び縦チャンバ５０の中で角度を定め、固定制御ロッド５４を押し動かすことにより固定ロッド５３を連動させて固定チャンバ５２の中で移動させることで、固定ロッド５３を固定孔３４の中に入らせて掘り支持板３３を固定させ、モータ４５を始動し、オール軸４１と、第六ベベルギヤ４３と、第七ベベルギヤ４４と、縦方向動力軸２６と、ウォームホイール３８と、伝動副軸２７と、第八ベベルギヤ３７と、第二ベベルギヤ３６と、伝動主軸３５と、第三ベベルギヤ６７と、第五ベベルギヤ６６と、第一同期輪６８と、横方向伝送軸６９と、第一ベベルギヤ７３と、第四ベベルギヤ７２と、掘り軸３１とを連動させて回転させ、掘り軸３１が掘り回転輪３２と、掘り伝動ベルト４８とを連動させて回転させ、掘り伝動ベルト４８が回転することにより掘削バケット３０が軟泥を掘り出して輸送伝送ベルト２５に伝送し、同時に第一同期輪６８がベルト６５と、第二同期輪６４と、輸送軸２８とを連動させて回転させて輸送伝送ベルト２５にある軟泥を分離チャンバ５８の中に伝送し、同時にオール軸４１がオール３９を連動させて回転させ、オール３９が回転する時に水流により軟泥を洗い流し、ゴミを第二濾過網８４により分離チャンバ５８の中に残し、ゴミが多すぎる時、スイッチ８５をオンにして取っ手８２によりフィルター８０を連結ロッド７７の中から取り出してゴミを貯蔵チャンバ９１の中に入れ、本装置のゴミの収納量を増加する。
【００２８】
本発明の有益効果は：本装置は水上であちこち行けるので、清掃区域が広く、同時に深さを調節できる掘り装置により異なる深さの水底を清掃でき、本装置は掘り装置により水底の砂や軟泥やゴミを一緒に掘り出すことができ、掘り出されたゴミを砂や軟泥と一緒にオールの後端区域に伝送し、オール３９が作動する時に連動させた水流により砂とゴミとを分離し、砂や軟泥が濾過網を通って水流により流され、これによりゴミが残され、同時に移動できるゴミ収集装置によりゴミを絶えず取り出すと同時にゴミを貯蔵チャンバの中に貯蔵し、これにより大量のゴミを収納でき、作業員が水に入らずゴミを清掃でき、また本装置は水上で移動しながら清掃でき、清掃効率を大幅に向上させ、しかも本装置は砂や軟泥の下に隠れているゴミを清掃できる。
【００２９】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【図１】
2020197108.tif 000003
【図２】
2020197108.tif 000004
【図３】
2020197108.tif 000005
【図４】
2020197108.tif 000006
【図５】
2020197108.tif 000007
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
水底のゴミを清掃する水面作業台の正面視で、台を含み、前記台の下側面には装置に浮力を提供する二つの浮きブロックが左右に一つずつ対称に固定的に設置され、前記台の中には掘り装置が設置され、前記台の中には掘りチャンバが設置され、前記掘り装置は前記台の頂面に固定的に装着された回転箱を含み、前記回転箱の中には回転チャンバが設置され、前記回転チャンバの中には前記台の頂面と回転できるように連結された伝動主軸が設置され、前記伝動主軸が下方へ伸びて前記台の上端面を貫通して前記掘りチャンバの中に入っており、且つ前記掘りチャンバの頂壁と回転できるように連結され、前記伝動主軸のうち前記回転チャンバの中に位置しているところには第一ベベルギヤが固定的に設置され、前記伝動主軸のうち前記掘りチャンバの中に位置しているところには第二ベベルギヤが固定的に設置され、前記伝動主軸のうち前記掘りチャンバの中に位置しているところには第三ベベルギヤが固定的に設置され、前記回転箱の前側面には掘り軸が回転できるように連結され、前記掘り軸が後方へ伸びて前記回転箱の前側面を貫通して前記回転チャンバに入っており、且つ前記回転チャンバの前側壁と回転できるように連結され、前記掘り軸のうち前記回転チャンバの中に位置しているところには前記第一ベベルギヤと噛み合っている第四ベベルギヤが固定的に設置され、前記掘り軸には掘り回転輪が固定的に設置され、前記掘り軸には掘り支持板が回転できるように連結され、前記掘り支持板には六つの支持軸が回転できるように連結され、各前記支持軸には掘り伝動輪が固定的に設置され、前記掘り回転輪と前記掘り伝動輪との間には掘り伝動ベルトが連結され、前記掘り伝動ベルトには掘削バケットが固定的に設置され、前記掘り支持板の中には縦チャンバが設置され、前記台の中には横チャンバが設置され、前記横チャンバと前記縦チャンバの中には調節ロッドがスライドできるように連結され、前記調節ロッドには角度制御ロッドが固定的に設置され、前記掘り支持板の中には固定孔が設置され、
前記固定孔と前記掘りチャンバとの間には固定機構が設置され、前記固定機構が前記掘り装置を固定し、前記掘りチャンバの頂側壁には輸送動力チャンバが設置され、前記輸送動力チャンバの前側には輸送回転チャンバが設置され、前記輸送回転チャンバの中には軟泥を伝送する伝送装置が設置され、前記台の中にはゴミを貯蔵する貯蔵チャンバが設置され、前記掘りチャンバの左側には動力チャンバが設置され、前記動力チャンバの中には前記台の移動及びゴミを清掃する装置に動力を提供する動力装置が設置され、前記台の左側面には前記伝送装置が運んできた軟泥とゴミを分離させる分離装置が設置されたことを特徴とする水底のゴミを清掃する水面作業台。
【請求項２】
前記動力装置は前記動力チャンバの右側壁に固定的に装着されたモータを含み、前記動力チャンバの左側には旋転チャンバが設置され、前記モータの中にはオール軸が連結され、前記オール軸が左方へ伸びて前記動力チャンバの左側壁を貫通して前記旋転チャンバの中に入っており、且つ前記動力チャンバの左側壁及び前記旋転チャンバの右側壁と回転できるように連結され、前記オール軸のうち前記動力チャンバの中に位置しているところには第六ベベルギヤが固定的に設置され、前記旋転チャンバの中にはオールが固定的に設置され、前記動力チャンバの頂側壁には縦方向動力軸が回転できるように連結され、前記縦方向動力軸の底側には前記第六ベベルギヤと噛み合っている第七ベベルギヤが固定的に設置され、前記縦方向動力軸にはまたウォームホイールが固定的に設置され、前記動力チャンバの左右側壁には伝動副軸が回転できるように連結され、前記伝動副軸が右方へ伸びて前記動力チャンバの右側壁を貫通して前記掘りチャンバの中に入っており、且つ前記掘りチャンバの左側壁と回転できるように連結され、前記伝動副軸には前記ウォームホイールと噛み合っているウォームが固定的に設置され、前記伝動副軸の右側には前記第二ベベルギヤと噛み合っている第八ベベルギヤが固定的に設置されたことを特徴とする請求項１に記載の水底のゴミを清掃する水面作業台。
【請求項３】
前記分離装置は前記台の左側面に固定的に装着された連結ロッドを含み、前記連結ロッドのうち頂側面と右側面以外の面にはいずれも濾過板が設置され、前記連結ロッドの右側面には縦軸が回転できるように連結され、前記縦軸にはスイッチが固定的に設置され、前記連結ロッドの中にはフィルターがスライドできるように設置され、前記フィルターのうち頂側面以外の面にはいずれも第二濾過網が設置され、前記フィルターには取っ手が固定的に設置され、前記フィルターの中には分離チャンバが設置され、前記旋転チャンバの左側壁には濾過網が固定的に設置されることを特徴とする請求項２に記載の水底のゴミを清掃する水面作業台。
【請求項４】
前記伝送装置は前記掘りチャンバの後側壁に回転できるように装着された横方向伝送軸を含み、前記横方向伝送軸の前側には前記第三ベベルギヤと噛み合っている第五ベベルギヤが固定的に設置され、前記横方向伝送軸には第一同期輪が固定的に設置され、前記輸送動力チャンバの前側壁には輸送軸が回転できるように連結され、前記輸送軸のうち前記輸送動力チャンバの中に位置しているところには第二同期輪が固定的に設置され、前記第二同期輪と前記第一同期輪との間にはベルトが連結され、前記輸送軸が前方へ伸びて前記輸送動力チャンバの前側壁を貫通して前記輸送回転チャンバの中に入っており、且つ前記輸送回転チャンバの右側壁と回転できるように連結され、前記輸送軸のうち前記輸送回転チャンバの中に位置しているところには輸送回転輪が固定的に設置され、前記輸送回転チャンバの左右側壁には四つの輸送固定軸が固定的に連結され、各前記輸送固定軸には輸送伝動輪が回転できるように連結され、前記輸送固定軸と前記輸送軸との間には輸送支持板が回転できるように連結され、前記輸送回転輪と前記輸送伝動輪との間には輸送伝送ベルトが連結され、前記台の頂側面には前記輸送伝送ベルトと協働するかき板が固定的に設置されたことを特徴とする請求項１に記載の水底のゴミを清掃する水面作業台。
【請求項５】
前記固定機構は前記掘りチャンバの左右側壁に設置された八つの固定チャンバを含み、前記固定チャンバが前記固定孔に対応しており、各前記固定チャンバの中には固定ロッドがスライドできるように連結され、各前記固定ロッドには固定制御ロッドが固定的に設置されたことを特徴とする請求項１に記載の水底のゴミを清掃する水面作業台。
【請求項６】
前記掘削バケットは一定の角度を持つバケットであり、掘り伝動ベルトの回転のもとで軟泥を掘り出すことができることを特徴とする請求項１に記載の水底のゴミを清掃する水面作業台。
【請求項７】
前記オールが前記台を連動させて前進させると同時に、連動した水流により砂とゴミとを分離し、これにより移動すると同時に、ゴミの収集を行い、作動する時のエネルギーの消費を減少することを特徴とする請求項２に記載の水底のゴミを清掃する水面作業台。
【請求項８】
前記濾過網と前記第二濾過網とは孔の直径の大きさが異なり、砂が前記濾過網を通ることができないが前記第二濾過網を通ることができ、砂が前記旋転チャンバの中に入ることを防止することを特徴とする請求項３に記載の水底のゴミを清掃する水面作業台。